(57)【要約】【課題】  クライアント４０にローカル単位の情報を表示させる無線ＬＡＮシステム２２を提供する。【解決手段】  ＬＡＮのクライアント４０を他のネットワーク５０に接続させる機能をもつ無線ＬＡＮ装置２０を用意し、この無線ＬＡＮ装置２０に、インターネットのブラウザで表示可能なウェブデータを格納するメモリ２７と、格納部に格納されているウェブデータを、無線ＬＡＮシステム２２のクライアント４０に所定のタイミングで自発的に送信するコントローラ２６を備えさせる。【選択図】  図１
2004328783.tif 000002
【特許請求の範囲】
【請求項１】
ＬＡＮのクライアントを他のネットワークに接続させる機能を有する無線ＬＡＮ装置であって、
インターネットのブラウザで表示可能なウェブデータを格納する格納部と、
前記格納部に格納されているウェブデータを前記クライアントに所定のタイミングで自発的に送信する送信部と
を備えた無線ＬＡＮ装置。
【請求項２】
前記所定のタイミングは定期的である請求項１記載の無線ＬＡＮ装置。
【請求項３】
前記所定のタイミングは、前記クライアントが前記無線ＬＡＮ装置に接続した時点である請求項１または請求項２記載の無線ＬＡＮ装置。
【請求項４】
前記送信部は、ＬＡＮ内の全てのクライアントに前記ウェブデータを送信する請求項１ないし請求項３のいずれか記載の無線ＬＡＮ装置。
【請求項５】
前記送信部は、前記ウェブデータを送信する際、前記クライアントに対して該ウェブデータを画面上の所定の位置に表示するよう指示するデータを送信する請求項１ないし４のいずれか記載の無線ＬＡＮ装置。
【請求項６】
前記格納部が格納するウェブデータは、前記無線ＬＡＮ装置を管理する管理クライアントにより所定のタイミングで更新される請求項１ないし請求項６のいずれか記載の無線ＬＡＮ装置。
【請求項７】
無線ＬＡＮのクライアントを他のネットワークに接続させる方法であって、
インターネットのブラウザで表示可能なウェブデータを予め格納しておき、
前記クライアントから、無線ＬＡＮへの接続の要求を受けて、これを接続した後、
前記ウェブデータを前記クライアントに所定のタイミングで自発的に送信する
方法。
【請求項８】
ＬＡＮのクライアントを他のネットワークに接続させる機能を有する無線ＬＡＮ装置を含む無線ＬＡＮシステムであって、
インターネットのブラウザで表示可能なウェブデータを格納するネットワーク上の記憶手段を備え、
前記無線ＬＡＮ装置は、
前記ウェブデータへのリンクを格納するリンク格納部と、
前記リンクにより前記ウェブデータを前記クライアントに所定のタイミングで自発的に送信する送信部と
を備えた
無線ＬＡＮシステム。
【請求項９】
ＬＡＮのクライアントを他のネットワークに接続させる機能をもつ無線ＬＡＮ装置を含む無線ＬＡＮシステムにおけるコンピュータに読み取り可能な形態で、記録媒体に記録されたプログラムであって、
インターネットのブラウザで表示可能なウェブデータを格納する機能と、
前記ウェブデータへのリンクを格納する機能と、
前記リンクにより前記ウェブデータを前記クライアントに所定のタイミングで自発的に送信する機能と
をコンピュータにより実現するコンピュータ用プログラム。
【発明の詳細な説明】
【技術分野】
【０００１】
本発明は、無線ＬＡＮ装置とその方法に関する。
【背景技術】
【０００２】
従来から、インターネットなどのウェブページ閲覧において、バナーやサブウィンドウによる広告・広報は行なわれていた。このサブウィンドウを表示するための情報は、ウェブページを表示するための情報をインターネット上のウェブサーバが送信する際に、併せて送信したり、インターネット上のノードが付加して送信したりしていた。そのような情報を元に、クライアントではサブウィンドウを表示していた。下記特許文献１には、インターネットにおけるデータの配信技術について開示されている。
【０００３】
【特許文献１】特開２００１−３５０７８７号公報
【発明の開示】
【発明が解決しようとする課題】
【０００４】
しかしながら、このようなサブウィンドウの広告・広報を表示させる場合、サブウィンドウを表示するための情報（ＨＴＭＬやＪＡＶＡ（登録商標）スクリプト等のプログラム）をＬＡＮの外部のノード上に用意しておく必要があった。また、サブウィンドウを表示するための情報を、ウェブページを表示するための情報に付加してクライアントに送信するためには、サーバあるいはサーバに相当するものを必要としていた。
【０００５】
本発明は、上記した問題点を解決するためになされたものであり、無線ＬＡＮのクライアントにローカル単位の情報を表示させる無線ＬＡＮ装置を提供することを目的とする。
【課題を解決するための手段】
【０００６】
上記課題の少なくとも一部を解決する本発明の無線ＬＡＮ装置は、ＬＡＮのクライアントを他のネットワークに接続させる機能を有する無線ＬＡＮ装置であって、インターネットのブラウザで表示可能なウェブデータを格納する格納部と、前記格納部に格納されているウェブデータを前記クライアントに所定のタイミングで自発的に送信する送信部とを備えることを要旨としている。
【０００７】
また、この装置に対応した方法の発明は、無線ＬＡＮのクライアントを他のネットワークに接続させる方法であって、インターネットのブラウザで表示可能なウェブデータを予め格納しておき、前記クライアントから、無線ＬＡＮへの接続の要求を受けて、これを接続した後、前記ウェブデータを前記クライアントに所定のタイミングで自発的に送信することを要旨としている。
【０００８】
一方、上記課題の少なくとも一部を解決する本発明の無線ＬＡＮシステムは、ＬＡＮのクライアントを他のネットワークに接続させる機能を有する無線ＬＡＮ装置を含む無線ＬＡＮシステムであって、インターネットのブラウザで表示可能なウェブデータを格納するネットワーク上の記憶手段を備え、前記無線ＬＡＮ装置は、前記ウェブデータへのリンクを格納するリンク格納部と、前記リンクにより前記ウェブデータを前記クライアントに所定のタイミングで自発的に送信する送信部とを備えることを要旨としている。
【０００９】
かかる装置および方法およびシステムによれば、無線ＬＡＮのクライアントにローカル単位の情報を表示させることが可能である。定期的に該情報を送信するようにすれば、情報伝達の確実性が増す。また、クライアントが無線ＬＡＮ装置に接続した時点で該情報を送信するようにすれば、該クライアントに一度は情報を送信することができる。前記送信の際には無線ＬＡＮ装置に接続している無線ＬＡＮのクライアント全てに該情報を送信するようにすれば、情報伝達の確実性は更に増す。
【００１０】
また、該情報をクライアントの画面上で使用者が見える位置に表示すれば、情報を使用者が見る可能性が高まる。該情報は、前記無線ＬＡＮ装置を管理する管理クライアントが所定のタイミングで更新するようにすれば、新しい情報を無線ＬＡＮ装置のクライアントに送信することができる。
【発明を実施するための最良の形態】
【００１１】
＜第一実施例＞
（１）構成
以下、本発明の第一実施例について、図を参照しつつ説明する。図１は無線ＬＡＮシステム２２の全体構成図である。本実施例では、図１の無線ＬＡＮ装置２０は、マンションや小規模コミュニティ等の公共の場に敷設されており、ＡＤＳＬ回線３５によりインターネットなどのネットワーク５０のプロバイダに接続している。また、無線ＬＡＮ装置２０には、ネットワーク５０や無線ＬＡＮやＬＡＮとの入出力をそれぞれ受け持つネットワーク部２３，無線ＬＡＮ部２４，ＬＡＮ部２５が備えられている。また、無線ＬＡＮ装置２０にはメモリ２７も内蔵されており、それらの機能を統括するコントローラ２６も備えられている。
【００１２】
各クライアント４０は、無線ＬＡＮシステム２２を利用することが可能なマンションの住人や小規模コミュニティの会員の端末である。クライアント４０は、有線で無線ＬＡＮ装置２０のＬＡＮ部２５にあるいは無線で無線ＬＡＮ装置２０の無線ＬＡＮ部２４に接続することが可能となっている。つまり、各クライアント４０は、無線ＬＡＮ装置２０を介してネットワーク５０に接続することができる。
【００１３】
一方、管理クライアント３０は、マンションや小規模コミュニティ等の管理人の端末である。管理人はこの管理クライアント３０を用いて図１の無線ＬＡＮシステム２２の管理を行なっている。
【００１４】
次に、管理クライアント３０の内部構成を、図２に基づいて説明する。管理クライアント３０は、無線ＬＡＮ装置２０を介してネットワーク５０とのデータのやり取りを制御するネットワークインターフェース（ＮＴ−Ｉ／Ｆ）７０，処理を行なうＣＰＵ８０，処理プログラムや固定的なデータを記憶するＲＯＭ９０，ワークエリアとしてのＲＡＭ１００，時間を管理するタイマ１１０，モニタ１６５への表示を司る表示回路１３０，テキストデータをデータベースとして蓄積しているハードディスク（ＨＤ）１２０，キーボード１５０やマウス１６０とのインターフェースを司る入力インターフェース（Ｉ／Ｆ）１４０等を備える。
【００１５】
なお、ハードディスク１２０は固定式のものとして記載したが、着脱式のものでも良いし、着脱式の記憶装置（例えばＣＤ−ＲＯＭ，ＣＤ−Ｒ，ＣＤ−ＲＷ，ＤＶＤ−ＲＯＭ，ＤＶＤ−ＲＡＭ，フレキシブルディスクなど）を併用することも可能である。また、本実施例では管理クライアント３０の処理プログラムはＲＯＭ９０内に記憶されているものとしたが、ハードディスク１２０に記憶しておき、起動時にＲＡＭ１００上に展開して実行するものとしても良い。あるいは、上述した着脱式の記録媒体から読み込むものとしても良い。更には、ネットワーク５０を介して他の端末から読み込んで実行するものとしても良い。同様に、ハードディスク１２０に必要なデータのすべてが記憶されている必要はなく、ネットワーク５０により接続される他のサーバに膨大なデータを分散して記憶，更新，管理する構成としても良い。なお、クライアント４０も、内部構成は管理クライアント３０とほぼ同様である。
【００１６】
（２）処理の概要
第一実施例では、所定のウェブデータへリンクするための情報（以下、リンク情報とよぶ）は、管理クライアント３０により無線ＬＡＮ装置２０に保存される。ただし、ここでいうウェブデータとは、インターネットのブラウザで解釈することが可能なＨＴＭＬ言語でかかれたデータのことである。無線ＬＡＮ装置２０は、保存したリンク情報に対応するウェブデータを、定期的にクライアント４０に送信する。クライアント４０は、受信したウェブデータに基づいて、画面上にバナーやサブウィンドウ１７５を表示する。
【００１７】
（３）処理
以下、（２）で説明した処理について詳述する。まず、管理クライアント３０が、リンク情報を無線ＬＡＮ装置２０に保存する処理（以下、保存処理とよぶ）について説明する。図３は、保存処理を示したフローチャートである。右側が無線ＬＡＮ装置２０のフローチャートであり、左側が管理クライアント３０のフローチャートである。ここでいうウェブデータは、マンションや小規模コミュニティにおいて、マンションの住人やコミュニティの会員に知らせる必要のある広報情報を基にして作成される。まず、管理クライアント３０はウェブデータをＨＴＭＬ言語により作成する（ステップＳ２０）。このウェブデータは、ブラウザがこのウェブデータに基づく図６のサブウィンドウ１７５を表示する際、サブウィンドウを画面中央よりやや上で、ブラウザにより開いている他のウィンドウよりも手前に表示するよう作成する。更に、クライアント４０がそのサブウィンドウ１７５の表示を閉じることを許可するかどうかも、ウェブデータに予め設定されている。この設定された情報をクローズ情報とよぶ。次に、管理クライアント３０は、作成されたウェブデータへのリンク情報を無線ＬＡＮ装置２０に送信する（ステップＳ２５）。
【００１８】
無線ＬＡＮ装置２０は、送信されたウェブデータへのリンク情報を受信すると（ステップＳ３０）、受信したリンク情報をリンクデータベース１７０に保存する（ステップＳ３５）。その際、保存日時も併せて保存しておく。
【００１９】
図４は、リンクデータベース１７０の一例を示す説明図である。リンクデータベース１７０の１レコードは、リンク情報と保存日時と送信日時とからなる。リンク情報の新規登録時は、送信日時をＮｕｌｌ（ヌル）にしておく。リンク情報の保存は、古いリンク情報のレコードを残しつつ行なわれる。ちなみに古いリンク情報を削除したい場合は、管理人が管理クライアント３０から無線ＬＡＮ装置２０にアクセスして削除する。
【００２０】
図５は、ウェブデータをクライアント４０に送信する処理を示すフローチャートである。無線ＬＡＮ装置２０は、前回の送信時間から一定の時間が過ぎると、リンクデータベース１７０の送信日時を検索する（ステップＳ４０）。送信日時がＮｕｌｌになっているレコードがあれば（ステップＳ４５）、そのレコードは新規に登録されたレコードなので、そのレコードのリンク情報に相当するウェブデータを管理クライアント３０から取得する（ステップＳ４７）。そして、自身に接続している無線ＬＡＮシステム２２のクライアント４０全てに管理クライアント３０から取得したウェブデータを送信する（ステップＳ５０）。
【００２１】
送信日時がＮｕｌｌのレコードがなければ（ステップＳ４５）、再びリンクデータベース１７０において送信日時が最も古いレコードを検索する（ステップＳ４６）。検索して該当したレコードのリンク情報に相当するウェブデータを管理クライアント３０から取得し（ステップＳ４７）、自身に接続している無線ＬＡＮシステム２２のクライアント４０全てに取得したウェブデータを送信する（ステップＳ５０）。ステップＳ４７とステップＳ５０の処理をあわせて、ウェブデータ送信処理（ステップＳ５５）とよぶものとする。
【００２２】
無線ＬＡＮシステム２２のクライアント４０は、無線ＬＡＮ装置２０からウェブデータを受信すると、ブラウザにより、ＨＴＭＬ言語で記述されたウェブデータを解釈する。その結果、先述した情報に従って、ウェブデータに基づくサブウィンドウ１７５を画面の中央よりやや上で、ブラウザにより開いている他のウィンドウよりも手前に表示する。また、サブウィンドウ１７５の表示をクライアント４０が閉じることができるかどうかは、先述したウェブデータに設定されたクローズ情報による。図６は、クライアント４０において表示されたサブウィンドウ１７５を表わした図である。この場合では、クローズ情報は、ボタン１８０によりクライアント４０がサブウィンドウ１７５を閉じることができるように設定されている。また、ボタン１８２によりサブウィンドウ１７５を最大化し、ボタン１８４により、サブウィンドウ１７５を最小化することも可能である。
【００２３】
以上説明した実施例によれば、無線ＬＡＮシステム２２のクライアント４０に、サブウィンドウ１７５を定期的に表示させることができる。つまり、従来紙媒体を用いて伝達していた広報文書をウェブデータに記載し、本発明の無線ＬＡＮシステム２２を使用すれば、広報情報を簡便にクライアント４０の使用者に伝達することが可能となる。また、クライアント４０に送信する広報情報を変更したい場合には、管理クライアントに保存されているウェブデータを変更するだけでよいので、簡単で迅速な対応が可能である。一方、無線ＬＡＮ装置２０がウェブデータをクライアント４０に送信するので、サーバも不要となる。なお、本実施例の無線ＬＡＮシステム２２は、小規模であることが望ましい。
【００２４】
＜第二実施例＞
第二実施例では、クライアント４０から無線ＬＡＮ装置２０へのアクセスが発生した際に、クライアント４０にウェブデータを送信する構成をとる。なお、ウェブデータへのリンク情報は、あらかじめ管理クライアント３０で作成され、リンクデータベース１７０に保存されている。図７は、クライアント４０からアクセスが発生した際に、ウェブデータを送信する処理を示すフローチャートである。右側は無線ＬＡＮ装置２０のフローチャートであり、左側はクライアント４０のフローチャートである。
【００２５】
無線ＬＡＮシステム２２のクライアント４０が無線ＬＡＮ装置２０にアクセスすると（ステップＳ６０）、そのアクセスを受信した無線ＬＡＮ装置２０は（ステップＳ８５）、クライアント４０のアクセス認証を行なう（ステップＳ９０）。無線ＬＡＮシステム２２を利用することが可能なクライアント４０かどうかを調べるためである。アクセス認証を行ない、そのクライアント４０がアクセス不可なクライアント４０である場合は（ステップＳ９５）、何もしないで処理を終える。アクセス可能なクライアント４０である場合は（ステップＳ９５）、そのクライアント４０に対してウェブデータ送信処理（図５のステップＳ５５）を行なう。
【００２６】
以上説明した第二実施例によれば、第一実施例と同様な作用効果を奏する上、更に、無線ＬＡＮ装置２０に接続したクライアント４０に、少なくとも１度はサブウィンドウ１７５を表示させることができる。
【００２７】
以上、本発明の実施の形態について説明したが、本発明はこうした実施の形態に何ら限定されるものではなく、本発明の要旨を逸脱しない範囲内において、更に様々な形態で実施しうることは勿論である。例えば、無線ＬＡＮ装置２０を喫茶店や飲食店等に敷設して行なう、いわゆる無線ｈｏｔｓｐｏｔサービスにおいても、本発明を利用することが可能である。その際、ウェブデータの内容は、広報情報に限らず、広告を募集して、広告をクライアント４０に送信するものとしてもよい。もちろんマンション等における無線ＬＡＮシステム２２においても広告を送信してもよい。無線ＬＡＮシステム２２における広告では、地域ごとに異なる広告を送信することが可能である。また、広告をクライアント４０に送信する場合は、広告を希望したものから広告料を徴収するシステムを構成することも可能である。
【００２８】
ウェブデータは、特に管理クライアント３０に保存しておく必要はなく、外部の特定サーバをコンテンツサーバとし、そのアドレスインデックスを無線ＬＡＮ装置２０内に持つようにすることも可能である。外部サーバを使用した場合は、広告・広報情報の変更などを複数の無線ＬＡＮ装置２０に対して一元管理することが可能となり、先述したサービス提供ビジネスの構築を容易にすることが可能である。また、外部サーバにウェブデータを保存する場合は、ウェブデータのサイズを大きくすることができる。更に、元データを変更することなく、元データにリンクしているデータのみを更新することで、瞬時の更新が可能となる。
【００２９】
一方、無線ＬＡＮ装置２０内にウェブデータ自体をもつ構成とすることも可能である。この場合、クライアント４０に送信する全てのデータを無線ＬＡＮ装置２０内に収納できるので、管理クライアント３０など他の機器を動作させる必要がない。よって、管理が容易になる。
【００３０】
ウェブデータを送信するタイミングは、色々と考えられる。例えば、第二実施例においてウェブデータを送信する際、無線ＬＡＮ装置２０に新たに接続したクライアント４０に対してだけではなく、その際無線ＬＡＮ装置２０に接続している全てのクライアント４０に対してウェブデータを送信してもよい。
【００３１】
他にも、無線ＬＡＮシステム２２の管理人が、ウェブデータを送信する時間やタイミングを個別に指定し、その時間やタイミングになったら該当するウェブデータを送信するようにしてもよい。特定の時間にウェブデータを送信したい場合に有効である。もちろん手動で送信処理を行なっても差し支えない。
【００３２】
また、無線ＬＡＮシステム２２のクライアント４０を特定することができる場合は、クライアント４０ごとに個別のウェブデータを送信するような設定にすることも可能である。例えば、マンションや小規模コミュニティにおける無線ＬＡＮシステム２２においては、クライアント４０を特定することができるので、クライアント４０を管理して、クライアント４０の好みのウェブデータを送信するサービスを行なうことも可能である。
【００３３】
一方、クライアント４０がインターネットのブラウザではなく、ｔｅｌｎｅｔなどでアクセスを行なう場合でも、機器実装上、最初のコネクションをインターネットのブラウザで行ない、必ずサブウィンドウ１７５を表示した後に、その他のｔｅｌｎｅｔなどのプロトコルでのアクセスを許可する。そうすることによって、クライアント４０のアプリケーションに係わらず、アクセス開始時に必ずサブウィンドウ１７５による広報・広告情報を表示させることができる。つまり、広報・広告情報の露出度を確実に確保することが可能となる。
【図面の簡単な説明】
【００３４】
【図１】無線ＬＡＮシステム２２を示す全体構成図である。
【図２】管理クライアント３０の内部構成を示す説明図である。
【図３】保存処理を示すフローチャートである。
【図４】リンクデータベース１７０を示す説明図である。
【図５】第一実施例における、ウェブデータをクライアント４０に送信する処理を示すフローチャートである。
【図６】クライアント４０において表示されたサブウィンドウ１７５を表わした説明図である。
【図７】第二実施例における、クライアント４０からアクセスが発生した際に、ウェブデータを送信する処理を示すフローチャートである。
【符号の説明】
【００３５】
２０...無線ＬＡＮ装置
２２...無線ＬＡＮシステム
２３...ネットワーク部
２４...無線ＬＡＮ部
２５...ＬＡＮ部
２６...コントローラ
２７...メモリ
３０...管理クライアント
３５...ＡＤＳＬ回線
４０...クライアント
５０...ネットワーク
８０...ＣＰＵ
９０...ＲＯＭ
１００...ＲＡＭ
１１０...タイマ
１２０...ハードディスク
１３０...表示回路
１５０...キーボード
１６０...マウス
１６５...モニタ
１７０...リンクデータベース
１７５...サブウィンドウ
１８０...ボタン
１８２...ボタン
１８４...ボタン
【図１】
2004328783.tif 000003
【図２】
2004328783.tif 000004
【図３】
2004328783.tif 000005
【図４】
2004328783.tif 000006
【図５】
2004328783.tif 000007
【図６】
2004328783.tif 000008
【図７】
2004328783.tif 000009